(57)【要約】【課題】通報装置１０の送受話パス２００及び３００の動作確認を自動にて行う。【解決手段】ハンドセット１２のハンドセットマイク１２Ｍ及びハンドセットレシーバ１２Ｒに対向してスピーカ１１及びマイク１３を通報装置本体１０１内に設け、保守メンテナンスコマンドに応答して音信号をスピーカ１１、ハンドセットマイク１２Ｍ、送話パス２００中の通話回路１４１を介し検出部１４２にて検出することにより、送話パス２００の動作の確認を行い、かつ、音信号を受話パス３００中の通話回路１４１、ハンドセットレシーバ１２Ｒ、マイク１３を介し検出部１４２にて検出することにより、受話パス３００の動作の確認を行うことを特徴とする通報装置。【選択図】図１
2011077575.tif 000002
【特許請求の範囲】
【請求項１】
ハンドセットマイク及びハンドセットレシーバを有するハンドセットと通報装置本体とを備えた通報装置であって、前記ハンドセットが前記通報装置本体に置かれた状態のときの前記ハンドセットマイク及び前記ハンドセットレシーバに対向するように、前記通報装置本体内に配置される内蔵スピーカ及び内蔵マイクと、前記通報装置本体内に配置された音信号送出及び検出部と、制御部とを有し、該制御部は、センタ装置から送信された保守メンテナンスコマンドに応答して、前記音信号送出及び検出部から第１の音信号を送出させ、該第１の音信号を前記内蔵スピーカから前記ハンドセットマイクに送出させ、該ハンドセットマイクから送話パス中の通話回路を介し前記第１の音信号を前記信号送出及び検出部にて検出することにより、前記送話パスの動作の確認を行い、かつ、前記音信号送出及び検出部から第２の音信号を送出させ、該第２の音信号を受話パス中の通話回路を介して前記ハンドセットレシーバから前記内蔵マイクに送出させ、該内蔵マイクから前記第２の音信号を前記信号送出及び検出部にて検出することにより、前記受話パスの動作の確認を行うことを特徴とする通報装置。
【請求項２】
請求項１に記載の通報装置において、
前記第１及び前記第２の音信号の各々は、ＤＴＭＦ(Dial Tone Multi Frequency)信号であることを特徴とする通報装置。
【請求項３】
請求項１に記載の通報装置において、
前記第１及び前記第２の音信号の各々は、コール・プログレス・トーンであることを特徴とする通報装置。
【請求項４】
請求項２又は３に記載の通報装置において、
前記送話パスの動作の確認を行った後に前記受話パスの動作の確認を行うことを特徴とする通報装置。
【請求項５】
請求項１に記載の通報装置において、
前記第１及び前記第２の音信号の一方は、ＤＴＭＦ(Dial Tone Multi Frequency)信号であり、前記第１及び前記第２の音信号の他方は、コール・プログレス・トーンであることを特徴とする通報装置。
【請求項６】
請求項５に記載の通報装置において、
前記送話パスの動作の確認と前記受話パスの動作の確認とを同時に行うことを特徴とする通報装置。
【請求項７】
請求項５に記載の通報装置において、
前記送話パスの動作の確認を行った後に前記受話パスの動作の確認を行うことを特徴とする通報装置。
【請求項８】
ハンドセットマイク及びハンドセットレシーバを有するハンドセットと通報装置本体とを備えた通報装置であって、前記通報装置本体内に設けられ、前記ハンドセットが前記通報装置本体に置かれた状態のときの前記ハンドセットレシーバから発する音信号を前記ハンドセットマイクに導く機能を有する空洞ガイド部と、前記通報装置本体内に配置された音信号送出及び検出部と、制御部とを有し、該制御部は、センタ装置から送信された保守メンテナンスコマンドに応答して、前記音信号送出及び検出部から音信号を送出させ、該音信号を受話パス中の通話回路を介して前記ハンドセットレシーバから前記空洞ガイド部へ送出させ、送出された音信号を、前記空洞ガイド部により前記ハンドセットマイクに導き、該ハンドセットマイクから送話パス中の通話回路を介し前記音信号を前記信号送出及び検出部にて検出することにより、前記受話パス及び前記送話パスの動作の確認を行うことを特徴とする通報装置。
【請求項９】
請求項８に記載の通報装置において、
前記音信号は、ＤＴＭＦ(Dial Tone Multi Frequency)信号であることを特徴とする通報装置。
【請求項１０】
請求項８に記載の通報装置において、
前記音信号は、コール・プログレス・トーンであることを特徴とする通報装置。
【請求項１１】
ハンドセットマイク及びハンドセットレシーバを有するハンドセットと通報装置本体とを備えた通報装置と、保守メンテナンスコマンドを前記通報装置に送信する機能を有するセンタ装置とを有する通報システムであって、
前記通報装置は、前記ハンドセットが前記通報装置本体に置かれた状態のときの前記ハンドセットマイク及び前記ハンドセットレシーバに対向するように、前記通報装置本体内に配置される内蔵スピーカ及び内蔵マイクと、前記通報装置本体内に配置された音信号送出及び検出部と、制御部とを有し、該制御部は、前記センタ装置から送信された前記保守メンテナンスコマンドに応答して、前記音信号送出及び検出部から第１の音信号を送出させ、該第１の音信号を前記内蔵スピーカから前記ハンドセットマイクに送出させ、該ハンドセットマイクから送話パス中の通話回路を介し前記第１の音信号を前記信号送出及び検出部にて検出することにより、前記送話パスの動作の確認を行い、かつ、前記音信号送出及び検出部から第２の音信号を送出させ、該第２の音信号を受話パス中の通話回路を介して前記ハンドセットレシーバから前記内蔵マイクに送出させ、該内蔵マイクから前記第２の音信号を前記信号送出及び検出部にて検出することにより、前記受話パスの動作の確認を行うことを特徴とする通報システム。
【請求項１２】
請求項１１に記載の通報システムにおいて、
前記第１及び前記第２の音信号の各々は、ＤＴＭＦ(Dial Tone Multi Frequency)信号であることを特徴とする通報システム。
【請求項１３】
請求項１１に記載の通報システムにおいて、
前記第１及び前記第２の音信号の各々は、コール・プログレス・トーンであることを特徴とする通報システム。
【請求項１４】
請求項１２又は１３に記載の通報システムにおいて、
前記通報装置は、前記送話パスの動作の確認を行った後に前記受話パスの動作の確認を行うことを特徴とする通報システム。
【請求項１５】
請求項１１に記載の通報システムにおいて、
前記第１及び前記第２の音信号の一方は、ＤＴＭＦ(Dial Tone Multi Frequency)信号であり、前記第１及び前記第２の音信号の他方は、コール・プログレス・トーンであることを特徴とする通報システム。
【請求項１６】
請求項１５に記載の通報システムにおいて、
前記通報装置は、前記送話パスの動作の確認と前記受話パスの動作の確認とを同時に行うことを特徴とする通報システム。
【請求項１７】
請求項１５に記載の通報システムにおいて、
前記通報装置は、前記送話パスの動作の確認を行った後に前記受話パスの動作の確認を行うことを特徴とする通報システム。
【請求項１８】
ハンドセットマイク及びハンドセットレシーバを有するハンドセットと通報装置本体とを備えた通報装置と、保守メンテナンスコマンドを前記通報装置に送信する機能を有するセンタ装置とを有する通報システムであって、
前記通報装置は、前記通報装置本体内に設けられ、前記ハンドセットが前記通報装置本体に置かれた状態のときの前記ハンドセットレシーバから発する音信号を前記ハンドセットマイクに導く機能を有する空洞ガイド部と、前記通報装置本体内に配置された音信号送出及び検出部と、制御部とを有し、該制御部は、センタ装置から送信された保守メンテナンスコマンドに応答して、前記音信号送出及び検出部から音信号を送出させ、該音信号を受話パス中の通話回路を介して前記ハンドセットレシーバから前記空洞ガイド部へ送出させ、送出された音信号を、前記空洞ガイド部により前記ハンドセットマイクに導き、該ハンドセットマイクから送話パス中の通話回路を介し前記音信号を前記信号送出及び検出部にて検出することにより、前記受話パス及び前記送話パスの動作の確認を行うことを特徴とする通報システム。
【請求項１９】
請求項１８に記載の通報システムにおいて、
前記音信号は、ＤＴＭＦ(Dial Tone Multi Frequency)信号であることを特徴とする通報システム。
【請求項２０】
請求項１８に記載の通報システムにおいて、
前記音信号は、コール・プログレス・トーンであることを特徴とする通報システム。
【発明の詳細な説明】
【技術分野】
【０００１】
本発明は、ハンドセットを備える通報装置及び該通報装置を備える通報システムに関し、特に、前記通報装置における保守自動点検に関する。
【背景技術】
【０００２】
ハンドセットを備える通報装置を保守点検する関連技術による保守点検方法は、保守作業者が直接に通報装置のハンドセットを耳に当てて、ハンドセットのハンドセットレシーバ及びハンドセットマイクを用いて、センタ装置との直接通話を行い障害が無いか判断するものであった。
【０００３】
詳細には、保守作業員は事前にセンタ装置へ点検動作を行う旨を連絡する。その後で、保守作業員は、通報装置において、ハンドセットを通報装置本体から取り上げて通報装置をオフフック状態とする。その状態で、保守作業員は、通報装置に備えられている呼出ボタンを押下して、センタ装置を呼び出す。そして、保守作業員は、ハンドセットのハンドセットレシーバ及びハンドセットマイクを用いて、センタ装置と通話を行い、通報装置の送話パス及び受話パス等に問題がないか判断する。
【０００４】
特公平８−３４５１４公報（特許文献１）は、請求項１及び第１図に、非常電話機（２０１〜２０ｎ）の試験方式を開示している。この試験方式では、非常電話機（２０１）を試験する際には、その非常電話機（２０１）に割り当てられている多周波信号をネットワーク（２２）を経由してスピーカ（２４）より出力し、該スピーカ出力とマイク（２３）を音響結合し、該マイク出力をネットワーク（２２）を経由して交換機（１０）に送信する。
【０００５】
しかしながら、特許文献１の非常電話機（２０１〜２０ｎ）は、ハンドセットレシーバ及びハンドセットマイクを有するハンドセットを備えた通報装置ではない。特許文献１の試験方式は、ハンドセットのハンドセットレシーバ及びハンドセットマイクを用いた試験ではない。
【０００６】
特開２００２−２８８７７２号公報（特許文献２）は、要約及び図１に、車両装置起動時に自己異常診断する車両緊急情報通報装置（１００）を開示している。この車両緊急情報通報装置（１００）では、車両装置起動時に、車両緊急情報通報装置（１００）から発する音声（マイクロホン１０５とスピーカ１１０との音響結合によりマイクロホン１０５に入力されるアコースティックループバック信号（１６５））で自己異常診断する。
【０００７】
しかしながら、特許文献２の車両緊急情報通報装置（１００）における自己診断も、ハンドセットのハンドセットレシーバ及びハンドセットマイクを用いた試験ではない。
【０００８】
特開平８−１０７４４４号公報（特許文献３）は、要約及び図１に、無線携帯装置の自己診断方法を開示している。この自己診断方法においては、送信音声回路（５）及び送信ＤＴＭＦ回路（４）の出力信号を、折り返し回路（９）により、受信音声回路（８）及び受信ＤＴＭＦ回路（７）に受信させて、スピーカ（１２）からの出力を検査する。
【０００９】
しかしながら、特許文献３の無線携帯装置の自己診断方法も、ハンドセットのハンドセットレシーバ及びハンドセットマイクを用いた試験ではない。
【先行技術文献】
【特許文献】
【００１０】
【特許文献１】特公平８−３４５１４公報
【特許文献２】特開２００２−２８８７７２号公報
【特許文献３】特開平８−１０７４４４号公報
【発明の概要】
【発明が解決しようとする課題】
【００１１】
上述した関連技術による保守点検方法では、ハンドセットのハンドセットレシーバ及びハンドセットマイクを用いて通報装置の保守点検を行う方法ではあるが、作業員が通報装置が存在する現場へ赴き作業するため、時間と費用がかかるということである。
【課題を解決するための手段】
【００１２】
本発明の目的は、ハンドセットが通報装置本体に置かれた状態でのハンドセットのハンドセットレシーバ及びハンドセットマイクを用いて、通報装置の送話パス及び受話パス等の動作点検作業を自動にて行うことができる通報装置及び通報システムを提供し、保守工事の工数削減を可能とすることである。
【００１３】
本発明の第１の態様によれば、ハンドセットマイク及びハンドセットレシーバを有するハンドセットと通報装置本体とを備えた通報装置であって、前記ハンドセットが前記通報装置本体に置かれた状態のときの前記ハンドセットマイク及び前記ハンドセットレシーバに対向するように、前記通報装置本体内に配置される内蔵スピーカ及び内蔵マイクと、前記通報装置本体内に配置された音信号送出及び検出部と、制御部とを有し、該制御部は、センタ装置から送信された保守メンテナンスコマンドに応答して、前記音信号送出及び検出部から第１の音信号を送出させ、該第１の音信号を前記内蔵スピーカから前記ハンドセットマイクに送出させ、該ハンドセットマイクから送話パス中の通話回路を介し前記第１の音信号を前記信号送出及び検出部にて検出することにより、前記送話パスの動作の確認を行い、かつ、前記音信号送出及び検出部から第２の音信号を送出させ、該第２の音信号を受話パス中の通話回路を介して前記ハンドセットレシーバから前記内蔵マイクに送出させ、該内蔵マイクから前記第２の音信号を前記信号送出及び検出部にて検出することにより、前記受話パスの動作の確認を行うことを特徴とする通報装置が得られる。
【００１４】
本発明の第２の態様によれば、ハンドセットマイク及びハンドセットレシーバを有するハンドセットと通報装置本体とを備えた通報装置であって、前記通報装置本体内に設けられ、前記ハンドセットが前記通報装置本体に置かれた状態のときの前記ハンドセットレシーバから発する音信号を前記ハンドセットマイクに導く機能を有する空洞ガイド部と、前記通報装置本体内に配置された音信号送出及び検出部と、制御部とを有し、該制御部は、センタ装置から送信された保守メンテナンスコマンドに応答して、前記音信号送出及び検出部から音信号を送出させ、該音信号を受話パス中の通話回路を介して前記ハンドセットレシーバから前記空洞ガイド部へ送出させ、送出された音信号を、前記空洞ガイド部により前記ハンドセットマイクに導き、該ハンドセットマイクから送話パス中の通話回路を介し前記音信号を前記信号送出及び検出部にて検出することにより、前記受話パス及び前記送話パスの動作の確認を行うことを特徴とする通報装置が得られる。
【００１５】
本発明の第３の態様によれば、ハンドセットマイク及びハンドセットレシーバを有するハンドセットと通報装置本体とを備えた通報装置と、保守メンテナンスコマンドを前記通報装置に送信する機能を有するセンタ装置とを有する通報システムであって、
前記通報装置は、前記ハンドセットが前記通報装置本体に置かれた状態のときの前記ハンドセットマイク及び前記ハンドセットレシーバに対向するように、前記通報装置本体内に配置される内蔵スピーカ及び内蔵マイクと、前記通報装置本体内に配置された音信号送出及び検出部と、制御部とを有し、該制御部は、前記センタ装置から送信された前記保守メンテナンスコマンドに応答して、前記音信号送出及び検出部から第１の音信号を送出させ、該第１の音信号を前記内蔵スピーカから前記ハンドセットマイクに送出させ、該ハンドセットマイクから送話パス中の通話回路を介し前記第１の音信号を前記信号送出及び検出部にて検出することにより、前記送話パスの動作の確認を行い、かつ、前記音信号送出及び検出部から第２の音信号を送出させ、該第２の音信号を受話パス中の通話回路を介して前記ハンドセットレシーバから前記内蔵マイクに送出させ、該内蔵マイクから前記第２の音信号を前記信号送出及び検出部にて検出することにより、前記受話パスの動作の確認を行うことを特徴とする通報システムが得られる。
【００１６】
本発明の第４の態様によれば、ハンドセットマイク及びハンドセットレシーバを有するハンドセットと通報装置本体とを備えた通報装置と、保守メンテナンスコマンドを前記通報装置に送信する機能を有するセンタ装置とを有する通報システムであって、
前記通報装置は、前記通報装置本体内に設けられ、前記ハンドセットが前記通報装置本体に置かれた状態のときの前記ハンドセットレシーバから発する音信号を前記ハンドセットマイクに導く機能を有する空洞ガイド部と、前記通報装置本体内に配置された音信号送出及び検出部と、制御部とを有し、該制御部は、センタ装置から送信された保守メンテナンスコマンドに応答して、前記音信号送出及び検出部から音信号を送出させ、該音信号を受話パス中の通話回路を介して前記ハンドセットレシーバから前記空洞ガイド部へ送出させ、送出された音信号を、前記空洞ガイド部により前記ハンドセットマイクに導き、該ハンドセットマイクから送話パス中の通話回路を介し前記音信号を前記信号送出及び検出部にて検出することにより、前記受話パス及び前記送話パスの動作の確認を行うことを特徴とする通報システムが得られる。
【発明の効果】
【００１７】
本発明に従えば、ハンドセットが通報装置本体に置かれた状態でのハンドセットのハンドセットレシーバ及びハンドセットマイクを用いて、通報装置の送話パス及び受話パス等の動作点検作業を自動にて行うことができる通報装置及び通報システムが得られ、保守工事の工数削減が可能となる。
【図面の簡単な説明】
【００１８】
【図１】本発明の第１の実施形態による通報システムを示した図である。
【図２】図１に示された通報システムにおいて用いられる通報装置のブロック図である。
【図３】図１に示された通報システムにおいて用いられる別の通報装置のブロック図である。
【発明を実施するための形態】
【００１９】
以下、本発明の第１の実施形態による通報システムについて図面を参照して説明する。
【００２０】
以下に述べる第１の実施形態においては、通報装置及びセンタ装置間での通話において、保守時の通話機能確認を自動にて点検可能としている。
【００２１】
即ち、第１の実施形態においては、通話機能を有する通報装置において、保守作業者を介さずに音声回路部に障害がないか自動点検を可能とする。
【００２２】
図１を参照すると、本発明の第１の実施形態による通報システムが示されている。本通報システムは、主に、通報装置１０、警備端末５０、センタ装置３０から構成される。警備端末５０は、種々の外部センサ（図示せず）からのセンサ情報を監視するものである。センタ装置３０は、保守メンテナンスコマンドを通報装置１０に送信する機能を有するものである。
【００２３】
図２を参照すると、図１に示された通報システムにおいて用いられる通報装置１０が示されている。通報装置１０は、通報装置１０の本体である通報装置本体（クレードル部）１０１に内蔵されたスピーカ（内蔵スピーカ）１１及びマイク（内蔵マイク）１３を有する。内蔵スピーカ１１及び内蔵マイク１３は、ハンドセット１２が通報装置本体１０１に置かれた状態（通報装置１０がオンフック状態）のときのハンドセット１２のハンドセットマイク１２Ｍ及びハンドセットレシーバ１２Ｒに対向するように、通報装置本体１０１内に配置される。
【００２４】
図１及び図２において、通報装置１０は、センタ装置３０からの保守メンテナンスコマンドをＰＨＳ(Personal Handyphone System)網及び公衆網４０を介してアンテナ２７にて受信すると、通報装置１０の本体である通報装置本体（クレードル部）１０１に内蔵されたスピーカ１１からハンドセットマイク１２ＭへＤＴＭＦ(Dial Tone Multi Frequency)信号（該ＤＴＭＦ信号はＤＴＭＦ回路１４２によって送出される）を送出する。
【００２５】
詳細には、通報装置１０は、センタ装置３０からの保守メンテナンスコマンドを受けると、該保守メンテナンスコマンドに応答して、内蔵スピーカ１１からハンドセットマイク１２ＭへＤＴＭＦ信号を送出し、ハンドセットマイク１２Ｍから通話回路（送話パス２００を構成する送話パス用通話回路）１４１を介しＤＴＭＦ回路１４２にてＤＴＭＦ信号を検出する。
【００２６】
同様にハンドセットレシーバ１２Ｒから通報装置１０の内蔵マイク１３へＤＴＭＦ信号（該ＤＴＭＦ信号はＤＴＭＦ回路１４２によって送出される）を送出する。
【００２７】
詳細には、ＤＴＭＦ信号等を通話回路（受話パス３００を構成する受話パス用通話回路）１４１を介しハンドセットレシーバ１２Ｒに送出し、送出されたＤＴＭＦ信号等をハンドセットレシーバ１２Ｒから通報装置１０の内蔵マイク１３へ送出し、通話回路１４３を介しＤＴＭＦ回路１４２にてＤＴＭＦ信号を検出する。
【００２８】
このようにして、音声回路部１４（通話回路１４１、ＤＴＭＦ回路１４２、及び通話回路１４３を有する）に問題ない事が確認できる。
【００２９】
その他回路についても動作確認を行い、これらの確認結果をＥＥＰＲＯＭ（Electrical Erasable Programmable Read Only Memory）１５へ書き込み後、センタ装置３０へアップロードする。
【００３０】
ここで、図２に示した通報装置１０の構成を説明する。
【００３１】
図２において、通報装置１０は、ＣＰＵ(Central Processing Unit)１６１、ＲＯＭ(Read Only Memory)１６２、及びＲＡＭ(Random Access Memory)１６３を有する制御部１６を有する。ＣＰＵ１６１は、各種信号の処理を行う。ＲＯＭ１６２は、動作プログラムを格納している。ＲＡＭ１６３はＣＰＵ１６１のワーク等に用いられる。ＣＰＵ１６１は、ＲＯＭ１６２から動作プログラムを読み出して、読み出された動作プログラムをＲＡＭ１６３に記憶させると共に、読み出された動作プログラムに基づいて動作する。ＣＰＵ１６１は、ＥＥＰＲＯＭ１５に、通報履歴・通報宛先等のシステムデータ・保守メンテナンス結果等を書込む。
【００３２】
制御部１６には、時刻を計るリアルタイムクロック回路（ＲＴＣ回路）１７が接続されている。
【００３３】
音声回路部１４において、ＤＴＭＦ回路１４２はＤＴＭＦ信号（音信号）の送出及び検出を行う音信号送出及び検出部として機能するものである。
【００３４】
ＰＨＳモジュール１８は、音声及びＰＩＡＦＳ(Personal Handyphone System Internet Access Forum Standard)３．１ｋＨｚオーディオの通信モードを有した無線通信モジュールである。ＰＨＳモジュール１８は、制御部１６のＣＰＵ１６１とは調歩同期式シリアル通信を使用し、ＡＴコマンド(“AT”で始まるcommand)にて発信等の制御を行う。
【００３５】
ＳＬＩＣ(Subscriber Loop Interface Circuit)１９は、アナログ回線Ｉ／Ｆ(Interface)の機能を有する。ＳＬＩＣ１９は、警備端末５０へ給電を行う回路も含む。ＳＬＩＣ１９は、また、警備端末５０からの警備端末データをアナログポート（図１）を介して受ける。ＳＬＩＣ１９及びコーデック回路２０間の通信はＰＣＭ (Pulse Code Modulation)データにて行う。
【００３６】
コーデック回路２０は、ＰＨＳモジュール１８から制御部１６を介して受けたアナログ信号をＡＤ(Analog to Digital)変換し、変換されたデジタル信号をμ−Ｌｏｗ方式にてエンコードする。また、コーデック回路２０は、ＳＬＩＣ１９からのＰＣＭデータをＤＡ(Digital to Analog)変換し、変換されたアナログ信号をμ−Ｌｏｗ方式にてデコードする。
【００３７】
接点入力回路２１は、外部接続機器である警備端末５０からの接点（警備端末接点）入力（図１の接点入力）を検出し、検出情報を制御部１６に送出する。
【００３８】
ＬＥＤ回路２２は、ＬＥＤ(Light Emitting Diode)２３’（図１）を制御する。
【００３９】
通話回路１４１及び１４３はそれぞれ音声信号レベルを増幅する。通話回路１４１及び１４３はそれぞれ不要帯域除去のフィルタ回路を含んでいる。
【００４０】
フックスイッチ検出回路２３は、ハンドセット１２のオンフック状態及びハンドセット１２のオフフック状態を判別する。
【００４１】
呼出ボタン検出回路２４は、呼出ボタン１００（図１）の押下を検出する。
【００４２】
電源回路２６は、通報装置１０の各部に電源電圧（ＤＣ電源電圧）を供給する。電源回路２６は、ＡＣ(Alternating-Current)アダプタ２５から電源電圧を供給されている。ＡＣアダプタ２５は、商用電源ＡＣ１００Ｖを前記電源電圧に変換する。
【００４３】
なお、ＰＨＳモジュール１８、ＤＴＭＦ回路１４２、コーデック回路２０、ＳＬＩＣ１９、接点入力回路２１、通話回路１４１及び１４３、フックスイッチ検出回路２３、呼出ボタン検出回路２４、ＬＥＤ回路２２、電源回路２６は、当業者にとってよく知られており、それらの詳細な構成は説明を省略する。
【００４４】
次に図１の通報システムの動作を説明する。
【００４５】
図１及び図２において、本通報システムでは、通報装置１０は、通常運用時（即ち、警備端末５０からの接点入力がＯＮ（３．３Ｖとする）である場合）においては、使用者がハンドセット１２を取り上げることによってオフフック状態とされる。その状態で、通報装置１０において、使用者が呼出ボタン１００を押下すると、通報装置１０のＣＰＵ１６１は、ＥＥＰＲＯＭ１５に予め登録されている宛先(センタ装置３０)へ自動発報し、使用者はセンタ装置３０と通話が可能となる。
【００４６】
ただし、警備端末５０がセンサ情報の異常発生を検出した時、通報装置１０においては警備端末５０からの接点入力がＯＦＦ(０Ｖとする)となる。警備端末５０からの接点入力がＯＦＦした場合（警備端末５０から通報があった場合）と、通報装置１０のＣＰＵ１６１は、通話パスの切替えを行い(センタ装置３０と通話している場合は強制切断し、ハンドセット１２へビジートーンを送出する)、警備端末５０からのアナログポートを介しての警備端末データを含む通報データ（モデム通信とする）をセンタ装置３０へ送信する。
【００４７】
次に、本通報システムにおいて、通報装置１０の保守自動点検を行う際の動作について説明する。
【００４８】
図１及び図２において、本通報システムにおいては、通報装置１０の保守自動点検を行う際には、センタ装置３０がＰＨＳ網及び公衆網４０を介して通報装置１０に保守メンテナンスコマンドを送信する。
【００４９】
通報装置１０は、制御部１６のＣＰＵ１６１が、センタ装置３０からの保守メンテナンスコマンドをアンテナ２７及びＰＨＳモジュール１８を介して受信すると、制御部１６のＣＰＵ１６１の制御下で以下の動作を行う。
【００５０】
即ち、まず、ＤＴＭＦ回路１４２においてＤＴＭＦ信号(例えばＰＢ８)を発信し、通話回路１４１において、発信されたＤＴＭＦ信号の信号レベルを増幅し、増幅されたＤＴＭＦ信号を内蔵スピーカ１１からハンドセットマイク１２Ｍへ送出する(送出レベルは任意とする)。
【００５１】
送出されたＤＴＭＦ信号は、ハンドセットマイク１２Ｍから通話回路（送話パス２００を構成する送話パス用通話回路）１４１を介しＤＴＭＦ回路１４２に導かれ、ＤＴＭＦ回路１４２において、ＤＴＭＦ信号を検出する。
【００５２】
続いて、ＤＴＭＦ回路１４２においてＤＴＭＦ信号(例えばＰＢ８)を発信し、通話回路（受話パス３００を構成する受話パス用通話回路）１４１において、発信されたＤＴＭＦ信号の信号レベルを増幅し、増幅されたＤＴＭＦ信号をハンドセットレシーバ１２Ｒから内蔵マイク１３へ送出する(送出レベルは任意とする)。
【００５３】
送出されたＤＴＭＦ信号は、内蔵マイク１３から通話回路１４３を介しＤＴＭＦ回路１４２に導かれ、ＤＴＭＦ回路１４２において、ＤＴＭＦ信号を検出する。
【００５４】
上記動作を実施する事によって、通報装置１０の通話回路（送受話）１４１、内蔵スピーカ１１、内蔵マイク１３、及び音声回路部１４、ハンドセット１２のハンドセットマイク１２Ｍ及びハンドセットレシーバ１２Ｒに問題ない事を確認できる。
【００５５】
その他ＲＯＭ１６２のリード、ＲＡＭ１６３のリード及びライト、フックスイッチ検出回路２３の状態検出、呼出ボタン検出回路２４の呼出ボタン１００の状態検出等のチェックしたら、時刻を含めた保守自動点検動作結果をＥＥＰＲＯＭ１５内に保存すると共にセンタ装置３０へも送信する。
【００５６】
通報装置１０の保守自動点検動作中に警備端末５０から通報があった場合には、通報装置１０のＣＰＵ１６１は、警備端末５０からの通報データをＲＡＭ１６３或いはＥＥＰＲＯＭ１５内にバッファしておき、センタ装置３０へ保守自動点検動作結果を送信後、通報データをセンタ装置３０へ送信する。
【００５７】
なお、図２の通報装置１０では、ＤＴＭＦ信号を音信号として用い、ＤＴＭＦ信号にて通話機能確認を行っているが、音信号としてコール・プログレス・トーンを用い、コール・プログレス・トーンにて通話機能確認を行っても良い。
【００５８】
また、送話パス２００の確認にはＤＴＭＦ信号及びコール・プログレス・トーンの一方を用い、受話パス３００の確認にはＤＴＭＦ信号及びコール・プログレス・トーンの他方を用いても良い。
【００５９】
また、図２の通報装置１０では、送話パス２００を自動点検してから受話パス３００を自動点検しているが、送話パス２００の確認にはＤＴＭＦ信号及びコール・プログレス・トーンの一方を用い、受話パス３００の確認にはＤＴＭＦ信号及びコール・プログレス・トーンの他方を用いることによって、送話パス２００及び受話パス３００の自動点検を同時に行っても良い。
【００６０】
以上説明したように、本実施形態においては、自動にて送話パス２００及び受話パス３００の動作確認が可能となり、保守作業員の作業時間を短縮できる。運用によっては保守作業員が不要となる。
【００６１】
図３を参照すると、図１に示された通報システムにおいて用いられる別の通報装置１０’が示されている。この通報装置１０’は、図２の通報装置１０とは、以下の点が異なる。即ち、通報装置１０’では、通報装置本体１０１内に、図２の内蔵スピーカ１１及び内蔵マイク１３の代りに、空洞ガイド部１０２が設けられている。空洞ガイド部１０２は、ハンドセット１２が通報装置本体１０１に置かれた状態（通報装置１０がオンフック状態）のときのハンドセットレシーバ１２Ｒから発するＤＴＭＦ信号(音信号)をハンドセットマイク１２Ｍに導く（戻す）機能を有する。
【００６２】
この通報装置１０’は、制御部１６のＣＰＵ１６１が、センタ装置３０からの保守メンテナンスコマンドをアンテナ２７及びＰＨＳモジュール１８を介して受信すると、制御部１６のＣＰＵ１６１の制御下で以下の動作を行う。
【００６３】
即ち、ＤＴＭＦ回路(音信号送出及び検出部)１４２においてＤＴＭＦ信号(例えばＰＢ８)を発信し、通話回路（受話パス３００を構成する受話パス用通話回路）１４１において、発信されたＤＴＭＦ信号の信号レベルを増幅し、増幅されたＤＴＭＦ信号をハンドセットレシーバ１２Ｒから空洞ガイド部１０２へ送出する(送出レベルは任意とする)。
【００６４】
送出されたＤＴＭＦ信号は、空洞ガイド部１０２によりハンドセットマイク１２Ｍに導かれ、ハンドセットマイク１２Ｍから通話回路（送話パス２００を構成する送話パス用通話回路）１４１を介しＤＴＭＦ回路１４２に導かれ、ＤＴＭＦ回路(音信号送出及び検出部)１４２において、ＤＴＭＦ信号を検出する。
【００６５】
なお、図３の通報装置１０’において、音信号としてＤＴＭＦ信号の代りにコール・プログレス・トーンを用い、コール・プログレス・トーンにて通話機能確認を行っても良い。
【００６６】
また、図３の通報装置１０’においては、通話機能確認に使用しない通話回路１４３を除去してもよい。
【００６７】
図３の通報装置１０’では、送話パス２００及び受話パス３００の自動点検を一回の自動点検により行うことができる。
【００６８】
以上、実施形態を参照して本願発明を詳細に説明したが、本願発明は上記実施形態に限定されるものではない。本願発明の構成や詳細には、本願発明のスコープ内で当業者が理解できる様々な変更をすることができる。
【符号の説明】
【００６９】
１０    通報装置
１００    呼出ボタン
１０１    通報装置本体
１１    内蔵スピーカ
１２    ハンドセット
１２Ｍ    ハンドセットマイク
１２Ｒ    ハンドセットレシーバ
１３    内蔵マイク
１４    音声回路部
１４１    通話回路
１４２    ＤＴＭＦ回路
１４３    通話回路
１５  ＥＥＰＲＯＭ
１６    制御部
１６１    ＣＰＵ
１６２    ＲＯＭ
１６３    ＲＡＭ
１７    リアルタイムクロック回路
１８    ＰＨＳモジュール
１９    ＳＬＩＣ
２０    コーデック回路
２１    接点入力回路
２２    ＬＥＤ回路
２３    フックスイッチ検出回路
２３’    ＬＥＤ
２４    呼出ボタン検出回路
２５    ＡＣアダプタ
２６    電源回路
２７    アンテナ
２００    送話パス
３００    受話パス
３０    センタ装置
４０    ＰＨＳ網及び公衆網
５０    警備端末
１０’    通報装置
１０２    空洞ガイド部
【図１】
2011077575.tif 000003
【図２】
2011077575.tif 000004
【図３】
2011077575.tif 000005